(57)【要約】【課題】印刷ジョブを結合して印刷する場合に、印刷対象の画像データの多様な面付けを可能にする印刷装置、情報処理装置および印刷システムを提供すること。【解決手段】本発明の印刷装置は、印刷データおよび印刷データの属性情報が保存される保存手段と、ジョブチケットに従って印刷データを印刷する印刷処理手段とを含み、印刷処理手段は、ジョブチケットで結合印刷が指示されている場合、ジョブチケットと共に受信した印刷データと、保存手段に保存されている印刷データとを交互に印刷する。【選択図】図２
2014058092.tif 000002
【特許請求の範囲】
【請求項１】
ジョブを実行して印刷を行う印刷装置であって、
前記ジョブを受信する受信手段と、
前記ジョブを構成する印刷データが保存される保存手段と、
前記ジョブを構成するジョブチケットに従って前記印刷データを印刷する印刷処理手段と
を含み、
前記印刷処理手段は、
前記ジョブチケットで結合印刷が指示されている場合、前記ジョブチケットと共に受信した印刷データと、前記保存手段に保存されている印刷データとを交互に印刷する、印刷装置。
【請求項２】
前記印刷処理手段は、
前記ジョブチケットで通常印刷が指示されている場合、前記ジョブチケットと共に受信した印刷データのみを印刷する、請求項１に記載の印刷装置。
【請求項３】
前記印刷処理手段は、
前記ジョブチケットで結合印刷が指示されている場合、前記ジョブチケットと共に受信した印刷データを印刷媒体の一方の面に印刷し、前記保存手段に保存されている印刷データを前記印刷媒体の他方の面に印刷する、請求項１または２に記載の印刷装置。
【請求項４】
前記印刷処理手段は、前記印刷データを集約印刷する、請求項１〜３のいずれか１項に記載の印刷装置。
【請求項５】
ジョブを生成して印刷装置に印刷処理を実行させる情報処理装置であって、
前記ジョブを構成するジョブチケットを生成するジョブチケット生成手段と、
前記ジョブを構成する印刷データを生成する印刷データ生成手段と
前記ジョブチケットおよび前記印刷データを前記印刷装置に送信する送信手段と
を含み、
前記ジョブチケット生成手段は、
前記印刷装置に対して、前記ジョブチケットと共に送信する印刷データと、前記印刷装置に既に送信した印刷データとを交互に印刷させるジョブチケットを生成する、情報処理装置。
【請求項６】
前記ジョブチケット生成手段は、
前記印刷装置に対して、前記ジョブチケットと共に送信する印刷データのみを印刷させるジョブチケットを生成する、請求項５に記載の情報処理装置。
【請求項７】
前記ジョブチケット生成手段は、
前記印刷装置に対して、前記ジョブチケットと共に送信する印刷データを印刷媒体の一方の面に印刷させ、前記印刷装置に既に送信した印刷データを前記印刷媒体の他方の面に印刷させるジョブチケットを生成する、請求項５または６に記載の情報処理装置。
【請求項８】
前記ジョブチケット生成手段は、
前記印刷装置に対して、前記印刷データを集約印刷させる、請求項５〜７のいずれか１項に記載の情報処理装置。
【請求項９】
ジョブを生成する情報処理装置と、前記ジョブを実行して印刷を行う印刷装置とを含む印刷システムであって、
前記印刷装置は、
前記情報処理装置から前記ジョブを受信する手段と、
前記ジョブを構成する印刷データが保存される保存手段と、
前記ジョブを構成するジョブチケットに従って前記印刷データを印刷する印刷処理手段と
を含み、
前記印刷処理手段は、
前記ジョブチケットで結合印刷が指示されている場合、前記ジョブチケットと共に受信した印刷データと、前記保存手段に保存されている印刷データとを交互に印刷する、印刷システム。
【発明の詳細な説明】
【技術分野】
【０００１】
本発明は、印刷処理を実行する印刷装置、情報処理装置および印刷システムに関し、より詳細には、複数の印刷ジョブを結合して印刷する印刷装置、情報処理装置および印刷システムに関する。
【背景技術】
【０００２】
従来、印刷装置で画像データを印刷する際に、ユーザが指定した複数の印刷ジョブを結合し、１つの印刷ジョブとして処理する技術が提案されている。
【０００３】
このような技術として、特許文献１は、ユーザがジョブ管理画面で選択した複数の印刷ジョブを結合して印刷装置に印刷させる情報処理装置を開示する。この情報処理装置は、印刷ジョブの結合時にユーザが印刷設定を変更することなく印刷ジョブを結合し、当該印刷ジョブを印刷装置に送信して印刷処理を実行させる。
【発明の概要】
【発明が解決しようとする課題】
【０００４】
しかしながら、特許文献１が開示する情報処理装置では、複数のページを印刷する印刷ジョブを結合する場合、各印刷ジョブが印刷指示する総ての画像データが１つの纏まりを維持したまま印刷されるため、異なる印刷ジョブの画像データを交互に印刷することができず、多様な面付けに対応できないという問題があった。
【０００５】
また、特許文献１が開示する情報処理装置では、総ての印刷ジョブをキューに保存し、その中から結合する印刷ジョブを選択する構成を採用するため、ユーザが結合を希望しない印刷ジョブもキューに保存され、当該印刷ジョブを単独で実行することができず、ユーザビリティが低いという問題もあった。
【０００６】
本発明は、上記従来技術の問題に鑑みてなされたものであり、印刷ジョブを結合して印刷する場合に、印刷対象の画像データの多様な面付けを可能にする印刷装置、情報処理装置および印刷システムを提供することを目的とするものである。
【課題を解決するための手段】
【０００７】
上記課題を解決するために、本発明の印刷装置は、印刷データおよび印刷データの属性情報が保存される保存手段と、ジョブチケットに従って印刷データを印刷する印刷処理手段とを含み、印刷処理手段は、ジョブチケットで結合印刷が指示されている場合、ジョブチケットと共に受信した印刷データと、保存手段に保存されている印刷データとを交互に印刷する。
【発明の効果】
【０００８】
本発明は、上述した構成要件を採用することにより、印刷ジョブを結合して印刷する場合に、印刷対象の画像データの多様な面付けを可能にすることができる。
【図面の簡単な説明】
【０００９】
【図１】本発明の印刷システムの一実施形態を示す概略図。
【図２】本発明の情報処理装置および印刷装置の機能構成を示す図。
【図３】本発明の情報処理装置および印刷装置が実行する処理を示す図。
【図４】本発明の情報処理装置および印刷装置が実行する処理を示す図。
【図５】本発明の印刷装置に記憶装置に構築されるデータテーブルの一実施形態を示す図。
【図６】本発明の情報処理装置が生成するジョブチケットの一実施形態を示す図。
【発明を実施するための形態】
【００１０】
以下、本発明について実施形態をもって説明するが、本発明は、後述する実施形態に限定されるものではない。図１は、本発明の印刷システムの一実施形態を示す概略図である。本発明の印刷システム１００は、ネットワーク１１０に接続された情報処理装置１２０ａ，１２０ｂ，１２０ｃ、印刷装置１３０とを含んで構成される。
【００１１】
ネットワーク１１０は、イーサネット（登録商標）およびＴＣＰ／ＩＰプロトコルを使用したネットワークとして構成されており、例えば、ローカルエリアネットワーク（ＬＡＮ）として実装することができる。
【００１２】
情報処理装置１２０ａ，１２０ｂ，１２０ｃは、種々の処理を指示するジョブチケットおよび印刷対象の画像データ（以下、「印刷データ」とする。）で構成されるジョブを生成し、印刷装置１３０に対して、印刷データの印刷や保存等の種々の処理を実行させる装置である。本実施形態では、情報処理装置１２０ａ，１２０ｂ，１２０ｃとして、デスクトップ型ＰＣやノート型ＰＣ等の情報処理装置を使用する。他の実施形態では、情報処理装置１２０ａ，１２０ｂ，１２０ｃとして、無線通信によってネットワーク接続可能なスマートフォンや電子書籍リーダ等の多機能型携帯端末を使用することもできる。
【００１３】
情報処理装置１２０ａ,１２０ｂ，１２０ｃは、種々のプログラムを実行するプロセッサを搭載し、ＷＩＮＤＯＷＳ（登録商標）シリーズ、ＭＡＣ（登録商標）ＯＳ、ＵＮＩＸ（登録商標）、ＬＩＮＵＸ（登録商標）などのＯＳの管理下で、Ｃ、Ｃ＋＋、Ｊａｖａ（登録商標）、Ｊａｖａ（登録商標）Ｓｃｒｉｐｔ、ＰＥＲＬ、ＲＵＢＹ、ＰＹＴＨＯＮなどのプログラム言語で記述された本発明のプログラムを実行する。
【００１４】
また、情報処理装置１２０ａ,１２０ｂ，１２０ｃは、プログラムの実行空間を提供するＲＡＭ等の主記憶装置、プログラムやデータなどを持続的に保持するためのハードディスク装置（ＨＤＤ）等の補助記憶装置を含んでおり、本発明のプログラムを実行することにより、後述する機能手段を情報処理装置上に実現する。
【００１５】
印刷装置１３０は、ネットワーク１１０を介して情報処理装置１２０ａ,１２０ｂ，１２０ｃから受信したジョブチケットが指示する処理を実行して印刷を行うネットワークプリンタである。
【００１６】
印刷装置１３０は、情報処理装置１２０ａ,１２０ｂ，１２０ｃから受信したジョブチケットを解析し、その解析結果に応じて種々の処理を実行する。
【００１７】
印刷装置１３０は、印刷機能やスキャニング機能、コピー機能等を搭載したＭＦＰ（Multi Function Peripheral）として構成されている。印刷装置１３０は、プロセッサ、ＲＡＭ、ＨＤＤなどを含んで実装されており、ＵＮＩＸ（登録商標）、ＬＩＮＵＸ（登録商標）などのＯＳの制御下で、アセンブラ、Ｃ、Ｃ＋＋、ＪＡＶＡ（登録商標）、ＪａｖａＳｃｒｉｐｔ（登録商標）などのプログラミング言語で記述された本発明のプログラムを実行し、後述する機能手段を当該印刷装置上に実現する。
【００１８】
他の実施形態では、ＭＦＰより下位機種であるページプリンタ等を印刷装置として採用することができ、印刷装置１３０と同様に、情報処理装置１２０ａ,１２０ｂ，１２０ｃから受信した印刷データを出力することができる。
【００１９】
図２は、本発明の情報処理装置および印刷装置の機能構成を示す図である。以下、図２を参照して、情報処理装置１２０ａおよび印刷装置１３０が実装する処理機能について説明する。なお、情報処理装置１２０ｂ，１２０ｃについては、情報処理装置１２０ａと同様の機能を実装するので、以下、説明を省略する。
【００２０】
情報処理装置１２０ａは、アプリケーション２００と、プリンタドライバ２０２と、ポートモニタ２１０とを含む。
【００２１】
アプリケーション２００は、印刷すべきデータを作成するアプリケーションプログラムである。本実施形態では、アプリケーション２００として、Ｍｉｃｒｏｓｏｆｔ  Ｅｘｃｅｌ（登録商標）等の表計算ソフト、Ｍｉｃｒｏｓｏｆｔ  Ｗｏｒｄ（登録商標）等の文書作成ソフト、またはＰｈｏｔｏＳｈｏｐ（登録商標）等の画像処理ソフトなどの様々なアプリケーションプログラムを使用することができる。
【００２２】
アプリケーション２００は、印刷すべきデータを印刷する場合、ユーザの指示により、プリンタドライバ２０２が提供する印刷処理の各種指示を行うＧＵＩ（Graphical User Interface）である印刷設定画面を情報処理装置１２０ａの表示装置に表示する。
【００２３】
プリンタドライバ２０２は、ジョブを生成して印刷装置１３０に種々の処理を実行させるプログラムであり、ＵＩ部２０４と、ジョブチケット生成部２０６と、印刷データ生成部２０８とを含んで構成される。
【００２４】
ＵＩ部２０４は、印刷設定画面を情報処理装置１２０ａの表示装置に表示し、当該印刷設定画面に対するユーザの指示を受け付ける機能手段である。印刷設定画面では、印刷データの保存、結合印刷および通常印刷を指示することができる。印刷データの保存とは、印刷装置１３０に印刷データを保存させる処理である。結合印刷とは、新たに送信する印刷データを印刷すると共に、印刷装置１３０に保存されている印刷データを印刷する処理である。通常印刷とは、新たに送信する印刷データのみを印刷する処理である。
【００２５】
また、印刷設定画面では、結合印刷が可能な印刷データのリスト（以下、「印刷データリスト」とする。）の取得を要求することができる。ＵＩ部２０４は、印刷データリストの取得要求を受け付けると、印刷データリストの取得要求と共に、当該取得要求を指示したユーザの識別情報を、ポートモニタ２１０を介して印刷装置１３０に送信する。
【００２６】
ＵＩ部２０４は、印刷装置１３０から受信した印刷データリストを印刷設定画面に表示する。ユーザは、印刷データリストの中から結合印刷を希望する印刷データを選択することができる。ＵＩ部２０４は、ユーザが選択した印刷データの識別情報を保持する。
【００２７】
ジョブチケット生成部２０６は、印刷データの処理方法を指示するジョブチケットを生成する機能手段である。ジョブチケット生成部２０６は、ユーザが印刷設定画面を通じて印刷データの結合印刷や通常印刷、印刷データの保存を指示すると、これらの処理の実行を指示するジョブチケットを生成し、ポートモニタ２１０に転送する。
【００２８】
本実施形態では、ジョブチケット生成部２０６は、ユーザが印刷設定画面を介して指示した印刷方法を規定するジョブチケットを生成することができる。なお、ジョブチケットについては、図６を参照して詳細に説明する。
【００２９】
印刷データ生成部２０８は、印刷データを生成する機能手段である。印刷データ生成部２０８は、ユーザが印刷設定画面を通じて印刷データの結合印刷や通常印刷、印刷データの保存を指示すると、印刷データを生成してポートモニタ２１０に転送する。
【００３０】
ポートモニタ２１０は、印刷装置１３０とのデータ通信を制御する機能手段であり、データ受信部２１２と、データ送信部２１４とを含む。
【００３１】
データ送信部２１４は、プリンタドライバ２０２からジョブチケットおよび印刷データ（以下、「ジョブデータ」とする。）を受信すると、ジョブデータを印刷装置１３０に送信する。また、データ送信部２１４は、プリンタドライバ２０２から受信した印刷データリストの取得要求を印刷装置１３０に送信する。
【００３２】
データ受信部２１２は、印刷データリストの取得要求の応答データである印刷データリストを受信し、プリンタドライバ２０２に転送する。
【００３３】
印刷装置１３０は、ジョブデータ処理部２２０と、印刷処理部２２８と、ジョブデータ保存部２３０とを含む。
【００３４】
ジョブデータ処理部２２０は、ジョブデータを処理する機能手段であり、通信部２２２と、印刷データリスト生成部２２６と、ジョブチケット解析部２２４とを含んで構成される。
【００３５】
通信部２２２は、印刷装置１３０と情報処理装置１２０ａとの間のデータ通信を行う機能手段である。通信部２２２は、情報処理装置１２０ａからジョブデータを受信すると、ジョブチケット解析部２２４に転送する。また、通信部２２２は、情報処理装置１２０ａから印刷データリストの取得要求を受信すると、印刷データリスト生成部２２６に転送する。
【００３６】
ジョブチケット解析部２２４は、ジョブチケットを解析し、その解析結果に応じた処理を実行する機能手段である。印刷データの保存を指示するジョブチケットを受信した場合、ジョブチケット解析部２２４は、当該ジョブチケットと共に受信した印刷データの属性情報を生成し、当該印刷データおよび属性情報を、記憶装置であるジョブデータ保存部２３０に保存する。
【００３７】
また、印刷データの結合印刷を指示するジョブチケットを受信した場合、ジョブチケット解析部２２４は、印刷処理部２２８に対して結合印刷を指示する。さらに、印刷データの通常印刷を指示するジョブチケットを受信した場合、ジョブチケット解析部２２４は、印刷処理部２２８に対して通常印刷を指示する。
【００３８】
印刷データリスト生成部２２６は、印刷データリストを生成する機能手段である。印刷データリスト生成部２２６は、ジョブデータ保存部２３０のデータテーブル（以下、「ジョブデータテーブル」とする。）を参照し、印刷データリストの取得要求と共に受信したユーザの識別情報を使用して、当該ユーザが結合印刷可能な印刷データについての印刷データリストを生成する。
【００３９】
本実施形態では、印刷データリストには、印刷データの識別情報と、ユーザが結合印刷可能な印刷データと、当該印刷データの属性情報で構成される。他の実施形態では、印刷データリストを印刷データの識別情報および属性情報で構成してもよい。
【００４０】
印刷処理部２２８は、ジョブチケットに従って用紙等の印刷媒体に印刷データを印字する手段である。印刷処理部２２８は、ジョブチケットで指定されている印刷データを、当該ジョブチケットで指示されている印刷方法に従って印刷する。具体的には、結合印刷が指定されている場合、印刷処理部２２８は、ジョブデータ保存部２３０から印刷データを取得し、ジョブチケットと共に受信した印刷データと共に印刷する。また、通常印刷が指定されている場合、印刷処理部２２８は、ジョブチケットと共に受信した印刷データのみを印刷する。
【００４１】
図３は、本発明の情報処理装置および印刷装置が実行する処理を示す図である。以下、図３を参照して、情報処理装置１２０ａが印刷装置１３０から印刷可能な印刷データのリストを取得する処理について説明する。
【００４２】
図３の処理は、ステップＳ３００で情報処理装置１２０ａのユーザが、アプリケーション２００を介して印刷可能な印刷データリストの取得を要求することにより開始する。ステップＳ３０１では、プリンタドライバ２０２は、印刷装置１３０に対して、当該ユーザの識別情報と共に印刷データリストの取得要求を送信する。
【００４３】
ステップＳ３０２では、印刷データリストの取得要求を受信した印刷装置１３０のジョブデータ処理部２２０が、ジョブデータ保存部２３０を参照し、当該ユーザの識別情報に関連付けられた印刷データおよび当該印刷データの属性情報で構成される印刷データリストを生成する。
【００４４】
ステップＳ３０３では、ジョブデータ処理部２２０は、印刷データリストの取得要求を送信した情報処理装置１２０ａに印刷データリストを送信する。ステップＳ３０４では、情報処理装置１２０ａのプリンタドライバ２０２のＵＩ部２０４が、印刷データリストが含まれた印刷設定画面を情報処理装置１２０ａの表示装置に表示する。
【００４５】
ステップＳ３０５では、ＵＩ部２０４は、ユーザが印刷設定画面を使用して選択した印刷データの識別情報を保持し、ステップＳ３０６で処理が終了する。
【００４６】
図４は、本発明の情報処理装置および印刷装置が実行する処理を示す図である。以下、図４を参照して、情報処理装置１２０ａが印刷データを生成し、印刷装置１３０が当該印刷データを印刷または保存する処理について説明する。
【００４７】
図４の処理は、ステップＳ４００で情報処理装置１２０ａのユーザが、印刷設定画面を使用してアプリケーション２００に結合印刷、通常印刷または印刷データの保存を指示することにより開始する。ステップＳ４０１では、アプリケーション２００が、これらの処理要求と共に、当該処理要求の発行時に印刷設定画面で指定されている印刷設定情報をプリンタドライバ２０２に送信する。
【００４８】
ステップＳ４０２では、プリンタドライバ２０２の印刷データ生成部２０８は、アプリケーション２００が生成または表示する画像データから印刷データを生成する。ステップＳ４０３では、プリンタドライバ２０２は、処理要求の種別を判断し、処理要求の種別に応じて処理を分岐させる。具体的には、処理要求の種別が結合印刷である場合には、処理をステップＳ４０４に分岐させる。処理要求の種別が通常印刷である場合には、処理をステップＳ４０５に分岐させる。処理要求の種別が印刷データの保持である場合には、処理をステップＳ４０６に分岐させる。
【００４９】
ステップＳ４０４では、プリンタドライバ２０２のジョブチケット生成部２０６は、図３の処理で保持された印刷データの識別情報が示す印刷データと、ステップＳ４０２で生成した印刷データとの結合印刷を指示するジョブチケットを生成する。ステップＳ４０５では、ジョブチケット生成部２０６は、ステップＳ４０２で生成した印刷データの通常印刷を指示するジョブチケットを生成する。ステップＳ４０６では、ジョブチケット生成部２０６は、ステップＳ４０２で生成した印刷データの保持を指示するジョブチケットを生成する。
【００５０】
ステップＳ４０７では、プリンタドライバ２０２が、ポートモニタ２１０を介して、ジョブチケットおよび印刷データを印刷装置１３０に送信する。
【００５１】
ステップＳ４０８では、印刷装置１３０のジョブデータ処理部２２０のジョブチケット解析部２２４が、情報処理装置１２０ａが送信したジョブチケットを解析して指示内容を判断し、指示内容に応じて処理を分岐させる。具体的には、結合印刷が指示されている場合には、処理をステップＳ４０９に分岐させる。通常印刷が指示されている場合には、処理をステップＳ４１０に分岐させる。印刷データの保持が指示されている場合には、処理をステップＳ４１１に分岐させる。
【００５２】
ステップＳ４０９では、印刷装置１３０の印刷処理部２２８は、結合印刷を行う。具体的には、ジョブチケットと共に受信した印刷データと、ジョブチケットで指定されているジョブデータ保存部２３０に保存された印刷データとを、ジョブチケットが指定する印刷方法で印刷し、ステップＳ４１２で処理が終了する。
【００５３】
これにより、本発明の印刷システム１００では、印刷装置１３０が既に情報処理装置１２０ａから受信した印刷データと、新たに受信した印刷データとを結合して印刷するため、複数の印刷ジョブを結合した印刷ジョブを１度に印刷装置に送信する従来技術と比較して、１度にネットワークに送信されるデータ量を低減することができる。
【００５４】
ステップＳ４１０は、印刷装置１３０の印刷処理部２２８は、通常印刷を行う。具体的には、ジョブチケットと共に受信した印刷データをジョブチケットが指定する印刷方法で印刷し、ステップＳ４１２で処理が終了する。これにより、ユーザが結合印刷を希望しない場合には、他の印刷データと結合せずに印刷データを単独で印刷することができ、ユーザビリティを向上させることができる。
【００５５】
ステップＳ４１１では、ジョブチケット解析部２２４は、印刷データの属性情報を生成し、印刷データおよび当該属性情報をユーザの識別情報と関連付けてジョブデータ保存部２３０のジョブデータテーブルに保存し、ステップＳ４１２で処理が終了する。
【００５６】
図５は、本発明の印刷装置の記憶装置に構築されるデータテーブルの一実施形態を示す図である。以下、ジョブデータ保存部２３０に構成されるジョブデータテーブル５００について説明する。
【００５７】
ジョブデータテーブル５００は、ユーザＩＤ５１０と、印刷データＩＤ５１２と、印刷データ名５１４と、ページ数５１６とが関連付けて登録される。
【００５８】
ユーザＩＤ５１０は、印刷システム１００に含まれる情報処理装置のユーザの識別情報である。本実施形態では、ユーザＩＤとして当該ユーザが使用する情報処理装置に割り当てられるＩＰアドレスが使用される。他の実施形態では、印刷システム１００内の情報処理装置のＭＡＣアドレスやユーザの固有に割り当てられる社員番号等、ユーザを固有に識別可能な様々な情報を採用することができる。
【００５９】
印刷データＩＤ５１２は、ジョブデータ保存部２３０に保存される印刷データの識別情報である。印刷データＩＤ５１２は、印刷データの保存時にジョブチケット解析部２２４が生成する識別情報である。
【００６０】
印刷データ名５１４は、ジョブデータ保存部２３０に保存される印刷データの識別情報である。印刷データ名５１４は、印刷システム１００内の情報処理装置の印刷データ生成部２０８が生成する識別情報である。
【００６１】
ページ数５１６は、印刷データＩＤ５１２や印刷データ名５１４によって特定される印刷データのページ数である。ジョブデータテーブル５００には、印刷データの属性情報としてページ数が登録されているが、その他の属性情報、例えば、印刷日時やユーザ名、印刷データを生成したアプリケーション等の任意の属性情報を登録することができる。
【００６２】
図６は、本発明の情報処理装置が生成するジョブチケットの一実施形態を示す図である。以下、図６を参照して、２つの印刷データを結合印刷するジョブチケット６００について説明する。なお、図６に示すジョブチケットは、ＸＭＬをベースとするＪＤＦ（Job Definition Format）で記述されているが、他の実施形態では、他のマークアップ言語で記述してもよい。
【００６３】
ＦｉｌｅＳｐｅｃタグ６０１に記述された指定情報６０２は、印刷すべきデータとして、印刷装置１３０のジョブデータ保存部２３０に保存されている印刷データを指定する。ＦｉｌｅＳｐｅｃタグ６０３に記述された指定情報６０４は、印刷すべきデータとして、ジョブチケット６００と共に送信される印刷データを指定する。
【００６４】
図６に示すジョブチケット６００では、指定情報６０２が指定する印刷データと、指定情報６０４が指定する印刷データとが交互に印刷される。
【００６５】
より詳細には、ＲｕｎＬｉｓｔタグ６０５は、指定情報６０２が指定する印刷データ（以下、「第１の印刷データ」とする。）のうちの１ページ目から４ページ目の印刷データを印刷を指示する。ＲｕｎＬｉｓｔタグ６０６は、指定情報６０４が指定する印刷データ（以下、「第２の印刷データ」とする。）のうちの１ページ目から４ページ目の印刷データの印刷を指示する。
【００６６】
ＲｕｎＬｉｓｔタグ６０７は、第１の印刷データのうちの５ページ目から８ページ目の印刷データの印刷を指示する。ＲｕｎＬｉｓｔタグ６０８は、第２の印刷データのうちの５ページ目から８ページ目の印刷データの印刷を指示する。
【００６７】
ＲｕｎＬｉｓｔタグ６０９は、第１の印刷データのうちの９ページ目から１２ページ目のの印刷データの印刷を指示する。ＲｕｎＬｉｓｔタグ６１０は、第２の印刷データのうちの９ページ目から１２ページ目の印刷データの印刷を指示する。
【００６８】
図６に示す実施形態では、各ページを構成する印刷データが個別の用紙に印刷されるが、他の実施形態では、複数のページの印刷データを集約して１枚の用紙に印刷してもよい。また、交互に印刷される印刷データのページ数は、上述した４ページに限定されるものではなく、任意のページ数の印刷データを交互に印刷してもよい。すなわち、一方の印刷データを用紙の表面に印刷し、他方の印刷データを当該用紙の裏面に印刷するようにしてもよい。このとき、１枚の用紙に複数のページの印刷データを印刷するようにしてもよい。さらに、２つの印刷データを結合印刷するのではなく、３つ以上の印刷データを結合印刷してもよい。
【００６９】
上述したように、本発明では、結合印刷における印刷方法を自由に設定することができるため、結合印刷における印刷データの多様な面付けを可能にする。
【００７０】
これまで本実施形態につき説明してきたが、本発明は、上述した実施形態に限定されるものではなく、当該実施形態の構成要素を変更、削除し、または他の構成要素を追加するなどして、当業者が想到することができる範囲内で変更することができ、いずれの態様においても本発明の作用・効果を奏する限り、本発明の範囲に含まれるものである。
【符号の説明】
【００７１】
１００…印刷システム、１１０…ネットワーク、１２０ａ，１２０ｂ，１２０ｃ…情報処理装置、１３０…印刷装置
【先行技術文献】
【特許文献】
【００７２】
【特許文献１】特開２００６−２６０４７３号公報
【図１】
2014058092.tif 000003
【図２】
2014058092.tif 000004
【図３】
2014058092.tif 000005
【図４】
2014058092.tif 000006
【図５】
2014058092.tif 000007
【図６】
2014058092.tif 000008